(57)【特許請求の範囲】
【請求項１】
画像を投射する投射機構と、前記投射機構の放熱に用いるエアを採り込みまたは排出する通気孔と、を有する投射ユニットと、
前記投射ユニットとの相対位置に応じて、前記通気孔を遮蔽し、または、前記通気孔の遮蔽を解除するように設けられた遮蔽部材と、
前記投射ユニットまたは前記遮蔽部材を移動させる駆動機構と、
所定の投射準備要求を取得したときは、前記投射ユニットが画像を投射する投射位置まで前記投射ユニットを移動させ、所定の収納要求を取得したときは、前記投射ユニットが画像を投射しない収納位置まで前記投射ユニットを移動させるよう前記駆動機構を制御する制御部と、
を備え、
前記制御部は、画像の投射方向が異なる複数の投射位置のいずれかまで前記投射ユニットを移動させるよう前記駆動機構を制御し、
前記遮蔽部材は、前記投射ユニットが前記収納位置にあるときは前記通気孔を遮蔽し、前記投射ユニットが前記投射位置にあるときは前記複数の投射位置のいずれであっても前記通気孔の遮蔽を解除するように設けられることを特徴とするプロジェクタ。
【請求項２】
前記投射ユニットは、前記投射機構からの画像の投射光が出射される開口部をさらに備え、
前記遮蔽部材は、前記投射ユニットが前記収納位置にあるときは前記開口部を遮蔽し、前記投射ユニットが前記投射位置にあるときは前記開口部の遮蔽を解除するよう設けられていることを特徴とする請求項１に記載のプロジェクタ。
【請求項３】
前記遮蔽部材は、前記通気孔と外部とを連通させるための連通孔を有し、
前記連通孔は、前記投射ユニットが前記収納位置にあるときは前記通気孔と非重複となることで前記通気孔を遮蔽し、前記投射ユニットが前記投射位置にあるときは前記通気孔と重複して前記通気孔の遮蔽を解除するよう設けられていることを特徴とする請求項１または２に記載のプロジェクタ。
【請求項４】
前記駆動機構は、前記投射ユニットを回転させるよう設けられ、
前記制御部は、前記投射準備要求を取得したときは前記複数の投射位置のいずれかまで前記投射ユニットを回転させ、前記収納要求を取得したときは前記収納位置まで前記投射ユニットを回転させるよう前記駆動機構を制御することを特徴とする請求項１から３のいずれかに記載のプロジェクタ。
【請求項５】
前記通気孔は、前記投射機構の放熱に用いるエアを採り込む吸気孔および排出する排気孔によって構成され、
前記遮蔽部材は、前記投射ユニットが前記収納位置にあるときは前記吸気孔および前記排気孔を遮蔽し、前記投射ユニットが投射位置にあるときは前記吸気孔および前記排気孔の遮蔽を解除することを特徴とする請求項１から４のいずれかに記載のプロジェクタ。
【請求項６】
前記投射機構に含まれる光源の放熱に用いる放熱部材をさらに備え、
前記放熱部材は、前記光源と、前記通気孔から採り込まれまたは排出されるエアと、の双方に接するよう設けられると共に、前記投射機構が設けられた前記投射ユニットの内部領域への前記エアの流入を抑制するよう、前記内部領域と前記エアが通過するエア通過領域とを仕切ることを特徴とする請求項１から５のいずれかに記載のプロジェクタ。
【発明の詳細な説明】
【技術分野】
【０００１】
本発明は、プロジェクタに関するものである。
【背景技術】
【０００２】
画像を投射するプロジェクタは、所望の被投射面に画像を投射すべく、水平方向に対して様々な角度に投射方向を向けることが求められる。ここで、非投射状態が選択されたときは、画像を投射するための開口部が支持部材によって遮蔽されるよう投射機構を含む筐体を回転させる技術が提案されている（例えば、特許文献１参照）。
【先行技術文献】
【特許文献】
【０００３】
【特許文献１】特開２０１１−１０７２８２号公報
【発明の概要】
【発明が解決しようとする課題】
【０００４】
近年、プロジェクタはビジネスの用途だけでなく映画の投射など家庭用の用途にも急激に拡大しており、投射画像の画質の要求も次第に高まっている。その一方、このようなプロジェクタの光源は多くの熱を発することから、その放熱のため通気孔を通じた外部からのエアの採り込みが必要となる場合がある。しかし、外部のエアには粉塵などが含まれている可能性があり、これが投射機構のレンズやミラーに付着すると、投射画像の品質に影響が及ぶ可能性がある。
【０００５】
本発明は上述した課題を解決するためになされたものであり、その目的は、通気孔からプロジェクタ内部への粉塵の侵入を抑制することにある。
【課題を解決するための手段】
【０００６】
上記課題を解決するために、本発明のある態様のプロジェクタは、画像を投射する投射機構と、投射機構の放熱に用いるエアを採り込みまたは排出する通気孔と、を有する投射ユニットと、投射ユニットを移動させる駆動機構と、所定の投射準備要求を取得したときは、画像の投射が可能な投射位置まで投射ユニットを移動させ、所定の投射回避要求を取得したときは、画像の投射を回避すべき投射回避位置まで投射ユニットを移動させるよう駆動機構を制御する制御部と、投射ユニットが投射回避位置にあるときは通気孔を遮蔽し、投射ユニットが投射位置にあるときは通気孔の遮蔽を解除するよう設けられた遮蔽部材と、を備える。
【発明の効果】
【０００７】
本発明によれば、通気孔からプロジェクタ内部への粉塵の侵入を抑制することができる。
【図面の簡単な説明】
【０００８】
【図１】図１（ａ）は、第１の実施形態に係るプロジェクタの斜視図であり、図１（ｂ）は、第１の実施形態に係るプロジェクタの側面透過図である。
【図２】図２（ａ）は、投射ユニットが収納位置にあるときの第１の実施形態に係るプロジェクタの斜視図であり、図２（ｂ）は、投射ユニットが収納位置にあるときの第１の実施形態に係るプロジェクタの側面透過図である。
【図３】図３（ａ）は、第２の実施形態に係るプロジェクタの側面透過図であり図３（ｂ）は、図３（ａ）のＰ−Ｐ断面図である。
【図４】図４は、鉛直上方に画像を投射するときの第２の実施形態に係るプロジェクタの側面透過図である。
【図５】図５（ａ）は、第３の実施形態に係るプロジェクタの斜視図である。図５（ｂ）は、第３の実施形態に係るプロジェクタの側面透過図である。
【図６】図６（ａ）は、収納位置にあるときの第３の実施形態に係るプロジェクタの斜視図であり、図６（ｂ）は、収納位置にあるときの第３の実施形態に係るプロジェクタの側面透過図である。
【図７】図７（ａ）は、ファンを取り付けたときの第３の実施形態に係るプロジェクタの斜視図であり、図７（ｂ）は、フィルタをさらに取り付けたときの第３の実施形態に係るプロジェクタの斜視図である。
【図８】図８は、第４の実施形態に係るプロジェクタの斜視図である。
【図９】図９（ａ）は、前方から見た第５の実施形態に係るプロジェクタの斜視図であり、図９（ｂ）は、後方から見た第５の実施形態に係るプロジェクタの斜視図である。図９（ｃ）は、第５の実施形態に係るプロジェクタの側面透過図である。
【図１０】図１０（ａ）は、投射ユニットが収納位置にあるときの第５の実施形態に係るプロジェクタの斜視図であり、図１０（ｂ）は、投射ユニットが収納位置にあるときの第５の実施形態に係るプロジェクタの側面透過図である。
【図１１】図１１（ａ）は、第６の実施形態に係るプロジェクタの斜視図であり、図１１（ｂ）は、第６の実施形態に係るプロジェクタの側面透過図である。
【図１２】図１２は、鉛直上方に画像を投射するときの第６の実施形態に係るプロジェクタの側面透過図である。
【図１３】図１３は、投射ユニットが収納位置にあるときの第６の実施形態に係るプロジェクタの側面透過図である。
【図１４】図１４（ａ）は、前方から見た第７の実施形態に係るプロジェクタの斜視図であり、図１４（ｂ）は、後方から見た第７の実施形態に係るプロジェクタの斜視図である。
【図１５】図１５（ａ）は、投射位置にある第７の実施形態に係るプロジェクタの上面透過図であり、図１５（ｂ）は、収納位置にある第７の実施形態に係るプロジェクタの上面透過図である。
【図１６】図１６（ａ）は、カバーが投射位置にある第８の実施形態に係るプロジェクタの斜視図であり、図１６（ｂ）は、カバーが投射位置にある第８の実施形態に係るプロジェクタの上面透視図である。
【図１７】図１７（ａ）は、カバーが収納位置にある第８の実施形態に係るプロジェクタの斜視図であり、図１７（ｂ）は、カバーが収納位置にある第８の実施形態に係るプロジェクタの上面透視図である。
【図１８】図１８は、第９の実施形態に係るプロジェクタの斜視図である。
【図１９】図１９は、投射ユニットが投射位置にあるときの第９の実施形態に係るプロジェクタの上面透視図である。
【図２０】図２０は、投射ユニットが収納位置にあるときの第９の実施形態に係るプロジェクタの上面透視図である。
【発明を実施するための形態】
【０００９】
（第１の実施形態）
図１（ａ）は、第１の実施形態に係るプロジェクタ１０の斜視図である。図１（ｂ）は、第１の実施形態に係るプロジェクタ１０の側面透過図である。プロジェクタ１０は、投射ユニット１２および筐体１４を有する。投射ユニット１２は円柱状に形成され、その中心軸が水平方向を向くように筐体１４に支持される。このとき筐体１４は、投射ユニット１２を回転可能に支持する。したがって筐体１４は投射ユニット１２を支持する支持部材として機能する。
【００１０】
投射ユニット１２は、シャーシ２０、投射機構２２、および駆動機構２４を有する。シャーシ２０は、円筒状部分３０および２つの側壁３２を有する。側壁３２は、円筒状部分３０の両端の開口を各々が覆うよう設けられる。図１（ｂ）は、投射ユニット１２の内部が見えるよう側壁３２が円筒状部分３０から外された状態を示している。なお、円筒状部分３０に代えて、他の形状の筒状部分が設けられてもよい。例えば断面形状が正六角形や正八角形などの正多角形となる筒状部分であってもよい。
【００１１】
シャーシ２０は、投射機構２２を収容する。投射機構２２は、シャーシ２０の内部に固定されている。円筒状部分３０には開口部３０ａが設けられており、投射機構２２は、この開口部３０ａを介して画像を外部に投射する。
【００１２】
開口部３０ａは、シャーシ２０内部への異物の侵入を阻止するための透明カバー（図示せず）によって塞がれている。透明カバーは、シャーシ２０が描く円よりも突出するとシャーシ２０の回転が妨げられるため、シャーシ２０から突出しないよう開口部３０ａよりも円筒状部分３０の内部側に配置されている。透明カバーは、ワイドコンバージョンレンズ等のレンズ機能を含んでもよい。
【００１３】
駆動機構２４は、モータ４０、伝達機構４２、およびシャフト４４を有する。２つの側壁３２の各々の中心には挿通孔が設けられており、この挿通孔にシャフト４４が回転可能に挿通される。こうして筐体１４は、投射ユニット１２を回転可能に支持し、円筒状部分３０は、その中心軸が投射ユニット１２の回転軸となる。シャフト４４の両端部は筐体１４に固定される。モータ４０は、板状に形成されたモータベース（図示せず）を介してシャーシ２０に固定される。モータ４０は、ギヤを含む伝達機構４２を介してシャフト４４に回転駆動力を与える。シャフト４４は筐体１４に固定されており回転不能とされているため、モータ４０が作動することによりシャーシ２０がシャフト４４を中心に回転する。このようにモータ４０は、シャーシ２０を筐体１４に対し回転させるアクチュエータとして機能する。
【００１４】
シャーシ２０は、投射機構２２だけでなく駆動機構２４も収容する。このように駆動機構２４をシャーシ２０が収容することにより、投射ユニット１２の外部の構成を簡略化することができ、デザイン性の高いプロジェクタ１０を提供することができる。
【００１５】
投射機構２２は、光学ユニット５２および光源５４を有する。光学ユニット５２は、複数のレンズを含む。光源５４は、半導体発光素子であるＬＥＤ（Light Emitting Diode）を含む。なお、光源５４に、水銀放電灯などの放電灯や、フィラメントを用いた白熱灯が採用されてもよい。
【００１６】
光源５４は、点灯することによって熱を発し、寿命の短縮化を回避するため、放熱が必要となる。このため、シャーシ２０には、さらに放熱機構６０が設けられている。放熱機構６０は、ダクト６２およびヒートシンク６４を有する。ダクト６２は、断面が矩形の筒状に設けられている。２つの側壁３２には、ダクト６２の断面と略同一形状の矩形の通気孔３２ａが設けられている。通気孔３２ａは、投射機構２２の光源５４の放熱に用いるエアを採り込みまたは排出する。ダクト６２は、その両端のダクト開口部が通気孔３２ａと重なるようシャーシ２０の内部に配置される。ダクト６２には、ファン（図示せず）が配置されており、光源５４が点灯するときはこのファンが作動して一方の通気孔３２ａからエアを採り込み、ダクト６２の内部を通じて他方の通気孔３２ａから排出する。したがって、ダクト６２内部がエア通過領域となる。また、２つの通気孔３２ａの一方が吸気孔となり、一方が排気孔となる。
【００１７】
ヒートシンク６４は、プレート部６４ａの一方の面から多数の放熱フィン６４ｂが突出するよう形成される。ヒートシンク６４は、アルミニウムなど熱伝導性の高い放熱性材料によって形成され、放熱部材として機能する。
【００１８】
ヒートシンク６４は、光源５４の放熱に用いられる。具体的には、プレート部６４ａのうち放熱フィン６４ｂが設けられる面と逆の面に光源５４が取り付けられる。こうして、光源５４が発する熱をヒートシンク６４のプレート部６４ａが回収し、回収した熱を放熱フィン６４ｂから放散させる。
【００１９】
ダクト６２には、ヒートシンク６４を挿入するための取り付け孔６２ａが設けられている。ヒートシンク６４は、放熱フィン６４ｂを先頭にこの取り付け孔６２ａに挿入される。取り付け孔６２ａの形状はプレート部６４ａの外形と略同一となっており、取り付け孔６２ａに取り付け孔６２ａが嵌め込まれ、ヒートシンク６４がダクト６２に固定される。
【００２０】
こうしてヒートシンク６４は、光源５４と、通気孔３２ａから採り込まれまたは排出されるエアと、の双方に接するよう設けられる。また、ヒートシンク６４のプレート部６４ａは、投射機構２２が設けられたシャーシ２０の内部領域へのエアの流入を抑制するよう、内部領域とエアが通過するエア通過領域とを仕切る。このようにエア通過領域とシャーシ２０の内部領域とを仕切ることで、通気孔３２ａからシャーシ２０の内部領域への粉塵の侵入を阻止することができる。このため、粉塵による光学ユニット５２などへの影響を抑制することができる。
【００２１】
なお、ダクト６２とヒートシンク６４との間、およびダクト６２と通気孔３２ａとの間は、隙間が生じないよう各々が形成されている。隙間の発生を回避するため、これらの間にウレタンのスポンジやゴムなどのシール材が配置されてもよい。
【００２２】
プロジェクタ１０には、電子制御部７０が設けられている。第１の実施形態では電子制御部７０は筐体１４の内部に配置されているが、投射ユニット１２の内部に配置されていてもよい。電子制御部７０は、各種の演算を実行するＣＰＵ、各種の制御プログラムを格納するＲＯＭ、およびデータ格納やプログラム実行のためのワークエリアとして利用されるＲＡＭを有する。電子制御部７０は、駆動制御部として機能し、駆動機構２４によるシャーシ２０の回転を制御する。また、電子制御部７０は、画像制御部としても機能し、外部へ投射すべき画像の画像データを生成する。
【００２３】
投射機構２２は、空間変調素子（図示せず）を含む。電子制御部７０は、例えばＤＶＤ（Digital Versatile Disc）から読み取られた画像データに、空間変調素子に映し出すための画像処理を施して画像データを生成する。空間変調素子は、生成された画像データが示す画像を表示する。こうして表示された画像の投射光が投射機構２２から開口部３０ａを通じて外部に投射される。開口部３０ａから投射された画像は、プロジェクタ１０の外部に設けられたスクリーン（図示せず）上に結像する。電子制御部７０は、光源５４の点灯、消灯、および光源５４が発する光の輝度も制御する。
【００２４】
図１（ａ）および図１（ｂ）は、投射ユニット１２が水平投射位置にあるときのプロジェクタ１０を示している。投射ユニット１２の水平投射位置は、投射機構２２による画像の水平方向への投射が可能な投射位置である。投射ユニット１２が水平投射位置に設定されている場合、投射ユニット１２は、光軸Ｘが水平且つ前方に向くよう位置する。
【００２５】
投射ユニット１２が水平投射位置にあるとき、開口部３０ａは筐体１４の上端１４ａよりも上方に位置する。したがって筐体１４は、投射ユニット１２が水平投射位置にあるときに開口部３０ａの遮蔽を解除するよう設けられている。このとき通気孔３２ａもまた筐体１４の上端１４ａより上方に位置する。このため筐体１４は、投射ユニット１２が水平投射位置にあるときは通気孔３２ａの遮蔽もまた解除するよう設けられている。
【００２６】
図２（ａ）は、投射ユニット１２が収納位置にあるときの第１の実施形態に係るプロジェクタ１０の斜視図である。図２（ｂ）は、投射ユニット１２が収納位置にあるときの第１の実施形態に係るプロジェクタ１０の側面透過図である。収納位置は、投射機構２２による画像の投射を回避すべき投射回避位置ともいうことができる。収納位置にあるとき、投射ユニット１２は、光軸Ｘが水平且つ後方に向くよう位置する。
【００２７】
投射ユニット１２が収納位置にあるとき、開口部３０ａは筐体１４の上端１４ａよりも下方に位置する。したがって筐体１４は、投射ユニット１２が収納位置にあるときに開口部３０ａを遮蔽するよう設けられている。このとき通気孔３２ａもまた筐体１４の上端１４ａより下方に位置する。このため筐体１４は、投射ユニット１２が収納位置にあるときは通気孔３２ａも遮蔽するよう設けられている。したがって筐体１４は、遮蔽部材として機能する。
【００２８】
なお、筐体１４は、投射ユニット１２が収納位置にあるときは２つの通気孔３２ａの一方を遮蔽し、投射ユニット１２が水平投射位置にあるときは当該一方の通気孔３２ａの遮蔽を解除してもよい。このとき、他方の通気孔３２ａは、常に遮蔽されずに外部と連通していてもよい。また、開口部３０ａまたは通気孔３２ａを遮蔽する部材は、筐体１４と別体に設けられていてもよい。
【００２９】
投射ユニット１２が収納位置に配置され開口部３０ａが遮蔽されることで、開口部３０ａに設けられた透明カバーが外気に露出されないこととなる。これにより、プロジェクタ１０を利用していない間、開口部３０ａに設けられた透明カバーに異物が付着することを抑制することができる。また、開口部３０ａを通じてシャーシ２０の内部領域へ粉塵が侵入することを抑制する効果も期待できる。同様に、通気孔３２ａが遮蔽されることで、通気孔３２ａを通じてシャーシ２０の内部領域へ粉塵が侵入することを抑制することができる。
【００３０】
プロジェクタ１０にはコントロールパネル（図示せず）が設けられており、このコントロールパネルに、Ｓ／Ｅ（Ｓｔａｒｔ／Ｅｎｄ）ボタン（図示せず）が配置されている。プロジェクタ１０の電源がオフのときにＳ／Ｅボタンが押された場合、電子制御部７０を含む各部に電力が供給され、電子制御部７０は、投射機構２２による画像の投射が可能な投射準備状態とすることを要求する投射準備要求を取得する。投射準備要求を取得した場合、電子制御部７０は、水平投射位置までシャーシ２０を回転させるよう駆動機構２４を制御する。
【００３１】
プロジェクタ１０の電源がオンのときにＳ／Ｅボタンが押された場合、電子制御部７０は、プロジェクタ１０の電源をオフにして投射機構２２による画像の投射を回避すべき投射回避状態とすることを要求する投射回避要求を取得する。投射回避要求を取得した場合、電子制御部７０は、収納位置までシャーシ２０を回転させるよう駆動機構２４を制御する。なお、プロジェクタ１０とは別体のリモコンにＳ／Ｅボタンが設けられてもよい。電子制御部７０は、リモコンへの操作入力を無線で取得可能に設けられてもよい。
【００３２】
駆動機構２４は、シャーシ２０を例えば上下方向に移動させてもよい。この場合、電子制御部７０は、所定の投射準備要求を取得したときは、画像の投射が可能な投射位置までシャーシ２０を上方向に移動させる。また、電子制御部７０は、所定の投射回避要求を取得したときは、画像の投射を回避すべき投射回避位置までシャーシ２０を下方向に移動させるよう駆動機構２４を制御する。
【００３３】
（第２の実施形態）
図３（ａ）は、第２の実施形態に係るプロジェクタ１００の側面透過図であり、図３（ｂ）は、図３（ａ）のＰ−Ｐ断面図である。以下、第１の実施形態と同様の個所は同一の符号を付して説明を省略する。
【００３４】
プロジェクタ１００は、側壁３２に代えて側壁１０６が設けられ、放熱機構６０に代えて放熱機構１０２が設けられた以外は、第１の実施形態に係るプロジェクタ１０と同様に構成される。側壁１０６は、通気孔３２ａに代えて、通気孔３２ａと位置が異なる通気孔１０６ａが設けられた以外は、側壁３２と同様に形成される。
【００３５】
通気孔１０６ａは、通気孔３２ａよりも開口部３０ａに近い位置に配置される。放熱機構１０２は、ヒートシンク６４およびダクト１０４を有する。ダクト１０４は、ヒートシンク取付部１０４ａ、接続部１０４ｂ、およびダクト開口部１０４ｃを有する。ヒートシンク取付部１０４ａには、第１の実施形態の取り付け孔６２ａと同様の取り付け孔１０４ｄが設けられており、この取り付け孔１０４ｄにヒートシンク６４が取り付けられる。したがって、第２の実施形態においても、ヒートシンク６４は、光源５４と、通気孔１０６ａから採り込まれまたは排出されるエアと、の双方に接するよう設けられる。また、ヒートシンク６４のプレート部６４ａは、シャーシ２０の内部領域へのエアの流入を抑制するよう、内部領域とエアが通過するエア通過領域とを仕切る。なお、放熱機構１０２にファン（図示せず）が設けられており、このファンが光源５４の点灯時に作動する点は第１の実施形態と同様である。
【００３６】
接続部１０４ｂは、ダクト開口部１０４ｃがヒートシンク６４よりも開口部３０ａに近くに位置するよう、接続部１０４ｂの端部とダクト開口部１０４ｃとを接続する。こうして、ダクト１０４は投射機構２２を囲うようコ字状に形成される。通気孔１０６ａは、ダクト１０４のダクト開口部１０４ｃと重なる位置に設けられる。こうして通気孔１０６ａは、第１の実施形態に係る通気孔３２ａよりも開口部３０ａの近くに配置される。
【００３７】
コントロールパネルには、画像を略水平に投射する水平投射位置と画像を鉛直上方に投射する鉛直投射位置との間で移動させる指示を発する切り替えスイッチが設けられている。ユーザはこの切り替えスイッチを押すことで、画像の投射方向を切り替えることができる。
【００３８】
図３（ａ）および図３（ｂ）は、投射ユニット１２が水平投射位置にあるときのプロジェクタ１００を示している。投射ユニット１２が水平投射位置に設定されている場合、投射ユニット１２は、光軸Ｘが水平且つ前方に向くよう位置する。
【００３９】
第２の実施形態においても、投射ユニット１２が水平投射位置にあるとき、開口部３０ａは筐体１４の上端１４ａよりも上方に位置する。したがって筐体１４は、投射ユニット１２が水平投射位置にあるときに開口部３０ａの遮蔽を解除するよう設けられている。このとき通気孔１０６ａもまた筐体１４の上端１４ａより上方に位置する。このため筐体１４は、投射ユニット１２が水平投射位置にあるときは通気孔１０６ａの遮蔽もまた解除するよう設けられている。
【００４０】
電子制御部７０は、投射ユニット１２を収納位置に移動させる場合、第１の実施形態と同様に光軸Ｘが水平且つ後方に向くよう投射ユニット１２を回転させる。第２の実施形態においても、投射ユニット１２が収納位置にあるとき、開口部３０ａは筐体１４の上端１４ａよりも下方に位置する。したがって筐体１４は、投射ユニット１２が収納位置にあるときに開口部３０ａを遮蔽するよう設けられている。このとき通気孔３２ａもまた筐体１４の上端１４ａより下方に位置する。このため筐体１４は、投射ユニット１２が収納位置にあるときは通気孔１０６ａも遮蔽するよう設けられている。
【００４１】
図４は、鉛直上方に画像を投射するときの第２の実施形態に係るプロジェクタ１００の側面透過図である。投射ユニット１２が水平投射位置にあるときに切り替えスイッチが押された場合、電子制御部７０は、投射ユニット１２を鉛直投射位置まで回転させるよう駆動機構２４を制御する。
【００４２】
投射ユニット１２が鉛直投射位置にあるとき、開口部３０ａは筐体１４の上端１４ａよりも上方に位置する。したがって筐体１４は、投射ユニット１２が鉛直投射位置にあるときに開口部３０ａの遮蔽を解除するよう設けられている。このとき通気孔１０６ａもまた筐体１４の上端１４ａより上方に位置する。このため筐体１４は、投射ユニット１２が鉛直投射位置にあるときは通気孔１０６ａの遮蔽もまた解除するよう設けられている。
【００４３】
このように通気孔１０６ａを開口部３０ａの近くに配置することで、開口部３０ａの遮蔽が解除されているときは、同様に通気孔１０６ａの遮蔽も解除させることができる。このため、通気孔１０６ａによるエアの採り込みおよび排出を可能としたまま投射ユニット１２をより多くの角度回転させることができ、光軸Ｘが向く方向を幅広く変化させることができる。
【００４４】
なお、切り替えスイッチによって光軸Ｘが向く方向は鉛直上方に限られない。例えば電子制御部７０は、投射ユニット１２が水平投射位置にあるときに切り替えスイッチが押された場合、水平投射位置よりも光軸Ｘが水平方向に対し大きい角度上方に傾く傾斜位置まで投射ユニット１２を回転させてもよい。
【００４５】
（第３の実施形態）
図５（ａ）は、第３の実施形態に係るプロジェクタ１５０の斜視図であり、図５（ｂ）は、第３の実施形態に係るプロジェクタ１５０の側面透過図である。以下、上述の実施形態と同様の個所については同一の符号を付して説明を省略する。
【００４６】
プロジェクタ１５０は、投射ユニット１５２および筐体１５４を有する。投射ユニット１５２は円柱状に形成され、その中心軸が水平方向を向くように筐体１５４に支持される。このとき筐体１５４は、投射ユニット１５２を回転可能に支持する。したがって筐体１５４は支持部材として機能する。
【００４７】
投射ユニット１５２は、シャーシ１６０、投射機構１７０、および駆動機構２４を有する。シャーシ１６０は、円筒状部分３０および２つの側壁１６２を有する。側壁１６２は、円筒状部分３０の両端の開口を各々が覆うよう設けられる。図５（ｂ）は、投射ユニット１２の内部が見えるよう側壁１６２が円筒状部分３０から外された状態を示している。なお、円筒状部分３０に代えて、他の形状の筒状部分が設けられてもよい。例えば断面形状が正六角形や正八角形などの正多角形となる筒状部分であってもよい。
【００４８】
シャーシ１６０は、投射機構１７０を収容する。投射機構１７０は、シャーシ１６０の内部に固定されている。投射機構１７０は、光学ユニット１７２および光源５４を有する。光学ユニット１７２は、第１光学ユニット１７４、ミラー１７６、および第２光学ユニット１７８を有する。第１光学ユニット１７４は、空間変調素子を有する。光源５４による光は、第１光学ユニット１７４の空間変調素子を透過して変調され、ミラー１７６によって反射される。ミラー１７６で反射された光は、第２光学ユニット１７８を通過して開口部３０ａから投射される。このとき、第１光学ユニット１７４の光軸Ｘ１と第２光学ユニット１７８の光軸Ｘ２とが直角となるよう、ミラー１７６によって光が反射される。開口部３０ａから投射された光は、外部に設けられたスクリーン上で結像する。
【００４９】
図５（ｂ）に示すように、第１光学ユニット１７４の光軸Ｘ１と第２光学ユニット１７８の光軸Ｘ２とは、投射ユニット１５２の回転軸、すなわちシャフト４４を囲むように構成される。このため、光源５４は、開口部３０ａとシャフト４４を挟む位置に配置される。このように光学ユニット１７２が構成される場合、画像を投射するため開口部３０ａが上方に位置するよう投射ユニット１５２を回転させると、光源５４はシャフト４４よりも下方に位置する。このため、第１、第２実施形態のように筐体１５４の上端を略同一水平面上に形成すると、開口部３０ａを筐体の上端より上方に位置させたときに、光源５４を筐体１５４の上端より上方に位置させることは困難となり、光源５４の放熱のためのダクト６２の両端のダクト開口部もまた筐体１５４の上端より上方に位置させることが困難となる。このため、第３の実施形態に係る筐体１５４は、２つの連通孔１５４ａを有する。２つの連通孔１５４ａは、筐体１５４の右側面および左側面の各々に設けられる。
【００５０】
図５（ａ）は、水平投射位置にあるときの第３の実施形態に係るプロジェクタ１５０の斜視図であり、図５（ｂ）は、水平投射位置にあるときの第３の実施形態に係るプロジェクタ１５０の側面透過図である。投射ユニット１５２が水平投射位置にあるときは、投射ユニット１５２は、光軸Ｘ２が水平且つ前方に向くよう位置する。このとき連通孔１５４ａは、図５（ａ）および図５（ｂ）に示すように、通気孔１６２ａと重複して通気孔１６２ａと外部とを連通させ、通気孔１６２ａの遮蔽を解除する。
【００５１】
図６（ａ）は、収納位置にあるときの第３の実施形態に係るプロジェクタ１５０の斜視図であり、図６（ｂ）は、収納位置にあるときの第３の実施形態に係るプロジェクタ１５０の側面透過図である。収納位置にあるとき、投射ユニット１５２は、光軸Ｘ２が鉛直下方に向くよう位置する。図６（ａ）および図６（ｂ）に示すように、連通孔１５４ａは、投射ユニット１５２が収納位置にあるときは通気孔１６２ａと非重複となることで通気孔１６２ａを遮蔽する。
【００５２】
このように連通孔１５４ａを設けることで、開口部３０ａと光源５４とが回転軸を挟んで反対側に位置するような場合においても、投射ユニット１５２が水平投射位置に配置されたときに開口部３０ａおよび通気孔１６２ａの双方の遮蔽を解除することができる。
【００５３】
なお、筐体１５４は円筒状部分３０の外周に沿うよう半円状に形成された半円部１５４ｂを有する。半円部１５４ｂは、円筒状部分３０の両端の各々に沿うよう２個所に設けられる。このように筐体１５４を設けることで、投射ユニット１５２と筐体１５４との外観における一体感を高めることができる。
【００５４】
また、連通孔１５４ａは、光軸Ｘ２が水平よりも上方に傾くよう水平投射位置が変更されても通気孔１６２ａと重なるよう、通気孔１６２ａをシャフト４４を中心に回転させた軌跡となる円弧状に形成されている。これにより、光軸Ｘ２の方向の変更した場合においても通気孔１６２ａから適切にエアを採り込みおよび排出することができる。なお、連通孔１５４ａが円弧状以外の形状に形成されていてもよい。
【００５５】
図７（ａ）は、ファン２０２を取り付けたときの第３の実施形態に係るプロジェクタ１５０の斜視図であり、図７（ｂ）は、フィルタ２０４をさらに取り付けたときの第３の実施形態に係るプロジェクタ１５０の斜視図である。電子制御部７０は、ファン２０２の作動を制御するファン制御部としても機能する。ファン２０２は、ダクト６２の両端のダクト開口部の一方に配置される。フィルタ２０４は、ファン２０２の外側に取り付けられる。ファン２０２は、正転することで外部からダクト６２の内部にエアを採り込むよう回転する。これにより、より多くのエアを放熱フィン６４ｂ周辺において通過させることができ、光源５４の熱を適切に放散させることができる。
【００５６】
電子制御部７０は、投射ユニット１５２が収納位置から水平投射位置に移動し、ファン２０２が連通孔１５４ａと重なり外部と連通したときに、ファン２０２の作動を開始する。また、電子制御部７０は、投射ユニット１５２が水平投射位置にあるときの所定のタイミングで、ファン２０２を逆転させる。これにより、フィルタ２０４に付着した埃などを外部に飛ばして除去することができる。所定タイミングは、投射ユニット１５２が水平投射位置にあるときに電源をオフするためＳ／Ｅボタンが押されたときであってもよく、他のタイミングであってもよい。
【００５７】
（第４の実施形態）
図８は、第４の実施形態に係るプロジェクタ２５０の斜視図である。以下、上述の実施形態と同様の個所については同一の符号を付して説明を省略する。
【００５８】
プロジェクタ２５０は、筐体１５４に代えて筐体２５２が設けられている以外は、第３の実施形態に係るプロジェクタ１５０と同様に構成される。筐体２５２は、連通孔１５４ａに代えて連通孔２５２ａが設けられ、さらにブラシ２５４が設けられた以外は、第３の実施形態に係る筐体１５４と同様に構成される。したがって、筐体２５２は、筐体１５４の半円部１５４ｂと同一の半円部２５２ｂを有する。
【００５９】
連通孔２５２ａは、ブラシ２５４を取り付けるために大きく形成されている点以外は、連通孔１５４ａと同様に形成される。ブラシ２５４は、投射ユニット１５２が水平投射位置から収納位置に回転するときにフィルタ２０４の表面に接触するよう配置される。このようにブラシ２５４を設けることで、投射ユニット１５２の回転動作とともにフィルタ２０４の清掃作業も実行することができる。
【００６０】
なお、このように投射ユニット１５２が水平投射位置から収納位置に回転するときに、電子制御部７０は、ファン２０２を逆転させてもよい。これにより、ブラシ２５４によって掻きだされた埃などを外部に飛ばして除去することができる。
【００６１】
（第５の実施形態）
図９（ａ）は、前方から見た第５の実施形態に係るプロジェクタ３００の斜視図であり、図９（ｂ）は、後方から見た第５の実施形態に係るプロジェクタ３００の斜視図である。図９（ｃ）は、第５の実施形態に係るプロジェクタ３００の側面透過図である。以下、上述の実施形態と同様の個所については同一の符号を付して説明を省略する。
【００６２】
プロジェクタ３００は、円筒状部分３０に代えて円筒状部分３０４が設けられ、側壁３２に代えて側壁３０６が設けられた以外は、第１の実施形態に係るプロジェクタ１０と同様に構成される。円筒状部分３０４は、吸気孔３０４ｂ、排気孔３０４ｃ、ファン３０８がさらに設けられた以外は、円筒状部分３０と同様に構成される。側壁３０６は、通気孔３２ａが塞がれた以外は、側壁３２と同様に形成される。
【００６３】
吸気孔３０４ｂは、プロジェクタ３００が水平投射位置にある状態において、開口部３０ａと反対側の円筒状部分３０４に配置される。排気孔３０４ｃは、円筒状部分３０４において開口部３０ａと吸気孔３０４ｂの中間位置に配置され、プロジェクタ３００が水平投射位置にある状態において、上方に開口されるよう配置される。ファン３０８は、投射ユニット１２の内部であって、排気孔３０４ｃの近い位置に配置される。したがって、吸気孔３０４ｂから採り込まれたエアＹ１は、吸気孔３０４ｂの近くに配置される放熱機構６０におけるヒートシンク６４を通過し、ファン３０８を経て排気孔３０４ｃからエアＹ２として排出される。
【００６４】
図９（ａ）〜（ｃ）は、投射ユニット１２が水平投射位置にあるときのプロジェクタ３００を示している。投射ユニット１２が水平投射位置に設定されている場合、投射ユニット１２は、光軸Ｘが水平且つ前方に向くよう位置する。
【００６５】
第５の実施形態においても、投射ユニット１２が水平投射位置にあるとき、開口部３０ａは筐体１４の上端１４ａよりも上方に位置する。したがって筐体１４は、投射ユニット１２が水平投射位置にあるときに開口部３０ａの遮蔽を解除するよう設けられている。このとき吸気孔３０４ｂと排気孔３０４ｃもまた筐体１４の上端１４ａより上方に位置する。このため筐体１４は、投射ユニット１２が水平投射位置にあるときは吸気孔３０４ｂと排気孔３０４ｃの遮蔽もまた解除するよう設けられている。
【００６６】
図１０（ａ）は、投射ユニット１２が収納位置にあるときのプロジェクタ３００の斜視図である。図１０（ｂ）は、投射ユニット１２が収納位置にあるときのプロジェクタ３００の側面透過図である。収納位置にあるとき、投射ユニット１２は、光軸Ｘが水平且つ後方に向くよう位置する。
【００６７】
電子制御部７０は、投射ユニット１２を収納位置に移動させる場合、第１の実施形態と同様に光軸Ｘが水平且つ後方に向くよう投射ユニット１２を回転させる。第５の実施形態においても、投射ユニット１２が収納位置にあるとき、開口部３０ａは筐体１４の上端１４ａよりも下方に位置する。したがって筐体１４は、投射ユニット１２が収納位置にあるときに開口部３０ａを遮蔽するよう設けられている。このとき吸気孔３０４ｂと排気孔３０４ｃもまた筐体１４の上端１４ａより下方に位置する。このため筐体１４は、投射ユニット１２が収納位置にあるときは吸気孔３０４ｂと排気孔３０４ｃも遮蔽するよう設けられている。
【００６８】
（第６の実施形態）
図１１（ａ）は、前方から見た第６の実施形態に係るプロジェクタ３５０の斜視図であり、図１１（ｂ）は、第６の実施形態に係るプロジェクタ３５０の側面透過図である。以下、上述の実施形態と同様の個所については同一の符号を付して説明を省略する。
【００６９】
プロジェクタ３５０は、筐体１４に代えて筐体３５２が設けられ、円筒状部分３０４に代えて円筒状部分３５４が設けられ、投射機構２２に代えて投射機構３６０が設けられた以外は、第５の実施形態に係るプロジェクタ３００と同様に構成される。
【００７０】
筐体３５２は、シャフト４４を支持する側面の形状が五角形となっている。ちょうど、第５の実施形態に係る筐体１４の長方形の側面において、シャフト４４を頂点とする五角形を構成するよう、筐体１４の上側にある前方および後方の角部を切り取った形状としている。円筒状部分３５４は、吸気孔３０４ｂに代えて、開口部３０ａの周辺部に吸気孔３５４ｂが設けられた以外は、円筒状部分３０４と同様に構成される。
【００７１】
投射機構３６０は、光学ユニット３６２、ミラー３６４および光源５４を有する。光学ユニット３６２は、空間変調素子を有する。光源５４による光は、ミラー３６４によって反射され、光学ユニット３６２を通過して開口部３０ａから投射される。このとき、光源５４の光軸Ｘ１と光学ユニット３６２の光軸Ｘ２とが直角となるよう、ミラー３６４によって光が反射される。開口部３０ａから投射された光は、外部に設けられたスクリーン上で結像する。
【００７２】
吸気孔３５４ｂは、プロジェクタ３５０が水平投射位置にある状態において、開口部３０ａと同じ前方に配置され、排気孔３０４ｃは、上方に開口されるよう配置される。したがって、吸気孔３０４ｂから採り込まれたエアＹ１は、ファン３０８の近くに配置される放熱機構６０におけるヒートシンク６４を通過し、ファン３０８を経て排気孔３０４ｃからエアＹ２として排出される。なお、吸気孔３５４ｂは、開口部３０ａの周辺部に開口部３０ａと別に設けられてもよいし、開口部３０ａに設けられた透明カバー等と円筒状部分３５４の間の隙間を利用して、開口部３０ａと一体となって設けられてもよい。
【００７３】
図１１（ａ）および図１１（ｂ）は、投射ユニット１２が水平投射位置にあるときのプロジェクタ３５０を示している。投射ユニット１２が水平投射位置に設定されている場合、投射ユニット１２は、光軸Ｘが水平且つ前方に向くよう位置する。
【００７４】
第６の実施形態においても、投射ユニット１２が水平投射位置にあるとき、開口部３０ａは筐体３５２の上端３５２ａよりも上方に位置する。したがって筐体３５２は、投射ユニット１２が水平投射位置にあるときに開口部３０ａの遮蔽を解除するよう設けられている。このとき吸気孔３０４ｂと排気孔３０４ｃもまた筐体１４の上端３５２ａより上方に位置する。このため筐体３５２は、投射ユニット１２が水平投射位置にあるときは吸気孔３０４ｂと排気孔３０４ｃの遮蔽もまた解除するよう設けられている。
【００７５】
図１２は、鉛直上方に画像を投射するときの第６の実施形態に係るプロジェクタ３５０の側面透過図である。投射ユニット１２が水平投射位置にあるときに切り替えスイッチが押された場合、電子制御部７０は、投射ユニット１２を鉛直投射位置まで回転させるよう駆動機構２４を制御する。
【００７６】
投射ユニット１２が鉛直投射位置にあるとき、開口部３０ａは筐体３５２の上端３５２ａよりも上方に位置する。したがって筐体３５２は、投射ユニット１２が鉛直投射位置にあるときに開口部３０ａの遮蔽を解除するよう設けられている。このとき吸気孔３５４ｂと排気孔３０４ｃもまた筐体３５２の上端３５２ａより上方に位置する。このため筐体３５２は、投射ユニット１２が鉛直投射位置にあるときは吸気孔３５４ｂと排気孔３０４ｃの遮蔽もまた解除するよう設けられている。
【００７７】
図１３は、投射ユニット１２が収納位置にあるときの第６の実施形態に係るプロジェクタ３００の側面透過図である。収納位置にあるとき、投射ユニット１２は、光軸Ｘ２が水平方向から約１４０度回転させた後方かつ下方に向いて位置する。
【００７８】
電子制御部７０は、投射ユニット１２を収納位置に移動させる場合、光軸Ｘ２が水平方向から約１４０度回転させた後方かつ下方に向くよう投射ユニット１２を回転させる。第６の実施形態においても、投射ユニット１２が収納位置にあるとき、開口部３０ａは筐体３５２の上端３５２ａよりも下方に位置する。したがって筐体３５２は、投射ユニット１２が収納位置にあるときに開口部３０ａを遮蔽するよう設けられている。このとき吸気孔３５４ｂと排気孔３０４ｃもまた筐体３５２の上端３５２ａより下方に位置する。このため筐体３５２は、投射ユニット１２が収納位置にあるときは吸気孔３５４ｂと排気孔３０４ｃも遮蔽するよう設けられている。
【００７９】
このように吸気孔３５４ｂを開口部３０ａの周辺部に配置し、排気孔３０４ｃを開口部３０ａから９０度の位置に配置することで、開口部３０ａの遮蔽が解除されているときは、同様に吸気孔３５４ｂと排気孔３０４ｃの遮蔽も解除させることができる。このため、吸気孔３５４ｂによるエアの採り込みおよび排気孔３０４ｃによるエアの排気を可能としたまま投射ユニット１２をより多くの角度回転させることができ、光軸Ｘ２が向く方向を幅広く変化させることができる。
【００８０】
なお、切り替えスイッチによって光軸Ｘが向く方向は鉛直上方に限られない。例えば電子制御部７０は、投射ユニット１２が水平投射位置にあるときに切り替えスイッチが押された場合、水平投射位置よりも光軸Ｘが水平方向に対し大きい角度上方に傾く傾斜位置まで投射ユニット１２を回転させてもよい。
【００８１】
（第７の実施形態）
図１４（ａ）は、開口部３０ａを前方としたとき、前方から見た第７の実施形態に係るプロジェクタ４００の斜視図であり、図１４（ｂ）は、後方から見た第７の実施形態に係るプロジェクタ４００の斜視図である。図１５（ａ）および図１５（ｂ）は、第７の実施形態に係るプロジェクタ４００の上面透過図である。以下、上述の実施形態と同様の個所については同一の符号を付して説明を省略する。
【００８２】
プロジェクタ４００は、筐体１４に代えて筐体４１２が設けられ、円筒状部分３０４に代えて円筒状部分４０４が設けられ、第５の実施形態に係るプロジェクタ３００と同様に構成される。プロジェクタ４００は、筐体４１２の内部において投射ユニット１２が回転する構成となっている。上述した実施形態においては、円筒状部分４０４は、吸気孔３０４ｂ、排気孔３０４ｃに代えて、吸気孔４０４ｂ、排気孔４０４ｃが設けられた以外は、円筒状部分３０４と同様に構成される。
【００８３】
筐体４１２は、正八角柱の形状をしており、正八角形の形状を有する２つの筐体底面部４１４と８つの長方形の形状が連なる筐体側面部４１６とを備える。筐体底面部４１４の各々の中心には挿通孔が設けられており（図示せず）、この挿通孔にシャフト４４が回転可能に挿通される。こうして筐体４１２は、投射ユニット１２を回転可能に支持し、円筒状部分４０４は、その中心軸が投射ユニット１２の回転軸となる。筐体側面部４１６は、８つの長方形の面のうち、３つの面にそれぞれ、筐体開口部４１６ａ、筐体吸気孔４１６ｂ、および筐体排気孔４１６ｃが設けられる。具体的には、筐体開口部４１６ａが設けられる筐体側面部４１６の面を第１の面とし、その面から反時計回りに順に第２〜第８の面とすると、筐体側面部４１６の第４の面に筐体吸気孔４１６ｂが設けられ、筐体側面部４１６の第６の面に筐体排気孔４１６ｃが設けられる。なお、筐体４１２は、正六角柱などのその他の正多角柱の形状をしてもよいし、円筒形状を有していてもよい。
【００８４】
開口部３０ａ、吸気孔４０４ｂ、および排気孔４０４ｃは、プロジェクタ４００が投射位置にある状態において、それぞれ、筐体開口部４１６ａ、筐体吸気孔４１６ｂ、および筐体排気孔４１６ｃと重複し、外部と連通するように円筒状部分４０４に配置される。ファン３０８は、投射ユニット１２の内部であって、排気孔４０４ｃの近い位置に配置される。したがって、吸気孔４０４ｂから採り込まれたエアＹ１は、投射ユニット１２の内部に配置される放熱機構６０におけるヒートシンク６４を通過し、ファン３０８を経て排気孔４０４ｃからエアＹ２として排出される。
【００８５】
図１５（ａ）は、投射ユニット１２が投射位置にあるときのプロジェクタ４００を示した上面透過図である。投射ユニット１２が投射位置に設定されている場合、投射ユニット１２は、光軸Ｘが筐体開口部４１６ａを通じて外部に投射されるよう位置する。
【００８６】
図１５（ｂ）は、投射ユニット１２が収納位置にあるときのプロジェクタ４００を示した上面透過図である。収納位置にあるとき、投射ユニット１２は、光軸Ｘが投射位置を基準として４５度回転した方向となるよう位置する。
【００８７】
電子制御部７０は、投射ユニット１２を収納位置に移動させる場合、光軸Ｘが投射位置を基準として４５度回転した方向となるように投射ユニット１２を回転させる。第７の実施形態において、投射ユニット１２が収納位置にあるとき、開口部３０ａ、吸気孔４０４ｂ、および排気孔４０４ｃは、それぞれ、筐体開口部４１６ａ、筐体吸気孔４１６ｂ、および筐体排気孔４１６ｃと非重複となり、筐体側面部４１６により遮蔽された状態となる。このため筐体４１２は、投射ユニット１２が収納位置にあるときは開口部３０ａ、吸気孔４０４ｂ、および排気孔４０４ｃを遮蔽するよう設けられている。
【００８８】
第７の実施形態においては、筐体底面部４１４を下にして載置される形状として説明したが、筐体開口部４１６ａ、筐体吸気孔４１６ｂまたは筐体排気孔４１６ｃを有さない筐体側面部４１６を下にして載置されてもよい。
【００８９】
（第８の実施形態）
図１６（ａ）は、第８の実施形態に係るプロジェクタ５００の斜視図であり、図１６（ｂ）は、第８の実施形態に係るプロジェクタ５００の上面透視図である。プロジェクタ５００は、投射ユニット５０２、カバー５１２を有する。投射ユニット５０２は、略直方体の形状のシャーシ５０３を有し、シャーシ５０３の内部に投射機構５２０、駆動機構５２４、放熱機構６０および電子制御部７０が設けられる。
【００９０】
シャーシ５０３は、上面と下面に対応する２つの底面部５０４と、前面と後面を含む４つの側面部５０６を有する。底面部５０４は、水平方向に備えられプロジェクタ５００の支持部材として機能する。側面部５０６の前面には、開口部５０６ａが設けられており、投射機構５２０は、この開口部５０６ａを介して画像を外部に投射する。側面部５０６の前面に吸気孔５０６ｂが設けられ、前面に対向する側面部５０６の後面に排気孔５０６ｃが設けられる。
【００９１】
カバー５１２は、上面と下面に対応する２つのカバー底面部５１４と、前面と後面に対応する二つのカバー側面部５１６を有する断面が矩形の筒形状をしており、シャーシ５０３の底面部５０４および側面部５０６に沿って水平方向にスライドするよう取り付けられている。カバー側面部５１６の前面には、カバー開口部５１６ａが設けられており、開口部５０６ａと重複することにより、カバー開口部５１６ａを介して画像が外部に投射される。
【００９２】
側面部５０６には突部５０８が設けられており、カバー５１２が突部５０８に押し当てられた状態において、開口部５０６ａとカバー開口部５１６ａが重複した位置となる。また、カバー５１２が突部５０８に押し当てられた状態において、カバー底面部５１４が吸気孔５０６ｂおよび排気孔５０６ｃを遮蔽しないよう、カバー５１２の水平方向の長さが調整されている。
【００９３】
投射機構５２０は、光源５４と光学ユニット５２２を含み、シャーシ５０３の内部に固定されている。光学ユニット５２２は、第１の実施形態に係る光学ユニット５２と同様に、複数のレンズを含み、光源５４の光軸Ｘ１と光学ユニット５２２の光軸Ｘ２とが直角となるように光を反射するミラーを含む。
【００９４】
駆動機構５２４は、モータ５２６、伝達機構５２８、ガイドレール５３０を有する（図示せず）。ガイドレール５３０は、シャーシ５０３の外側に取り付けられ、カバー５１２を水平方向にスライド可能に支持する。伝達機構５２８は、モータ５２６を介してカバー５１２に水平方向の駆動力を与える。駆動機構５２４は、例えば、ステッピングモータとリードスクリューによる機構や、ベルト機構、リニアモータ機構などが採用される。
【００９５】
放熱機構６０は、第１の実施形態と同様に光源５４の放熱に用いられる。具体的には、吸気孔５０６ｂから採り込まれたエアＹ１は、放熱機構６０におけるヒートシンク６４を通過し、排気孔５０６ｃからエアＹ２として排出される。なお、排気孔５０６ｃの近傍にファン（図示せず）が設けられていてもよい。また、第１の実施形態にて説明したように、ヒートシンク６４によって、内部領域とエア通過領域が仕切られていてもよい。
【００９６】
電子制御部７０は、投射準備要求を取得した場合、カバー５１２を投射位置までスライドさせるように駆動機構５２４を制御する。具体的には、カバー５１２が突部５０８に押し当てられるまで、カバー５１２を左方向へスライドさせる。また、電子制御部７０は、投射回避要求を取得した場合、カバー５１２を収納位置までスライドさせるように駆動機構５２４を制御する。具体的には、開口部５０６ａとカバー開口部５１６ａが非重複となり、開口部５０６ａがカバー５１２によって遮蔽された位置となるまで、カバー５１２を右方向へスライドさせる。
【００９７】
図１６（ａ）および図１６（ｂ）は、カバー５１２が投射位置にあるときのプロジェクタ５００を示している。このとき、カバー開口部５１６ａは、開口部５０６ａと重複する位置となり、投射機構５２０は、開口部５０６ａおよびカバー開口部５１６ａを介して画像を外部に投射可能となる。また、吸気孔５０６ｂおよび排気孔５０６ｃも、カバー５１２による遮蔽が解除される。
【００９８】
図１７（ａ）および図１７（ｂ）は、カバー５１２が収納位置にあるときのプロジェクタ５００を示している。このとき、カバー開口部５１６ａは、開口部５０６ａと非重複となる位置になり、開口部５０６ａはカバー５１２により遮蔽される。また、吸気孔５０６ｂおよび排気孔５０６ｃも、カバー５１２により遮蔽される。このため、カバー５１２は遮蔽部材として機能する。
【００９９】
（第９の実施形態）
図１８は、第９の実施形態に係るプロジェクタ５５０の斜視図である。プロジェクタ５５０は、略直方体の形状の筐体５６０を有し、筐体５６０の内部に投射ユニット５５２、駆動機構５２４および電子制御部７０が設けられる。
【０１００】
図１９および図２０は、第９の実施形態に係るプロジェクタ５５０の上面透視図である。プロジェクタ５５０は、投射ユニット５０２に代えて投射ユニット５５２が設けられ、カバー５１２に代えて筐体５６０が設けられた以外は、第８の実施形態に係るプロジェクタ５００と同様に構成される。投射ユニット５５２は、シャーシ５０３の代わりにシャーシ５５３が設けられ、投射ユニット５０２の内部に設けられていた駆動機構５２４および電子制御部７０が設けられていない以外は、投射ユニット５０２と同様に構成される。なお、駆動機構５２４および電子制御部７０は、筐体５６０の内部に設けられている。シャーシ５５３は、シャーシ５０３の突部５０８が設けられていない以外は、第８の実施形態に係るシャーシ５０３と同様に構成される。
【０１０１】
筐体５６０は、上面と下面に対応する２つの筐体底面部５６２と、前面と後面を含む４つの筐体側面部５６４を有する直方体形状をしている。筐体５６０の内部には、シャーシ５５３と、駆動機構５２４と、電子制御部７０が設けられる。筐体側面部５６４の前面には、筐体開口部５６４ａが設けられており、開口部５０６ａと重複することにより、筐体開口部５６４ａを介して画像が外部に投射される。また、筐体側面部５６４の前面には、筐体吸気孔５６４ｂが設けられており、吸気孔５０６ｂと重複することにより、外部からエアＹ１が採り込まれる。筐体側面部５６４の後面には、筐体排気孔５６４ｃが設けられており、排気孔５０６ｃと重複することにより採り込まれたエアがエアＹ２として排出される。
【０１０２】
駆動機構５２４は、ガイドレール５３０に代えてガイドレール５７０を有する。ガイドレール５７０は、筐体５６０の内部に取り付けられ、投射ユニット５５２を水平方向にスライド可能に支持する。伝達機構５２８は、モータ５２６を介してシャーシ５５３に水平方向の駆動力を与える（図示せず）。
【０１０３】
電子制御部７０は、投射準備要求を取得した場合、投射ユニット５５２を投射位置までスライドさせるように駆動機構５２４を制御する。具体的には、筐体開口部５６４ａと開口部５０６ａとが重複する位置となるまで、投射ユニット５５２を左方向へスライドさせる。また、電子制御部７０は、投射回避要求を取得した場合、投射ユニット５５２を収納位置までスライドさせるように駆動機構５２４を制御する。具体的には、筐体開口部５６４ａと開口部５０６ａとが非重複となり、開口部５０６ａが筐体５６０によって遮蔽された位置となるまで、シャーシ５５３を右方向へスライドさせる。
【０１０４】
図１９は、投射ユニット５５２が投射位置にあるときのプロジェクタ５５０を示している。このとき、筐体開口部５６４ａは、開口部５０６ａと重複する位置となり、投射機構５２０は、開口部５０６ａおよび筐体開口部５６４ａを介して画像を外部に投射可能となる。また、吸気孔５０６ｂおよび排気孔５０６ｃも、それぞれ筐体吸気孔５６４ｂおよび筐体排気孔５６４ｃと重複する位置となることで、筐体５６０による遮蔽が解除される。
【０１０５】
図２０は、投射ユニット５５２が収納位置にあるときのプロジェクタ５５０を示している。このとき、筐体開口部５６４ａは、開口部５０６ａと非重複の位置となり、開口部５０６ａは筐体５６０により遮蔽される。また、吸気孔５０６ｂおよび排気孔５０６ｃも、それぞれ筐体吸気孔５６４ｂおよび筐体排気孔５６４ｃと非重複の位置となることで、筐体５６０により遮蔽される。
【０１０６】
本発明は上述の各実施例に限定されるものではなく、各実施例の各要素を適宜組み合わせたものも、本発明の実施例として有効である。また、当業者の知識に基づいて各種の設計変更等の変形を各実施例に対して加えることも可能であり、そのような変形が加えられた実施例も本発明の範囲に含まれうる。
【０１０７】
例えば、第１から第７の実施例において、投射ユニットが投射位置と収納位置とを切り換えるための回転角度は、各々の実施例に記載された角度に限定されず、回転により各々の実施例に記載された目的が得られる角度であれば、その数値は問わない。
【０１０８】
また、上記各実施例において、駆動機構によって投射ユニットまたは遮蔽部材のいずれかを移動させるように説明したが、駆動機構によって双方が移動することによって、同一の目的が得られる構成であってもよい。この場合は、遮蔽部材は筐体とは別個に移動可能に構成される。
【符号の説明】
【０１０９】
１０  プロジェクタ、  １２  投射ユニット、  １４  筐体、  １４ａ  上端、  ２０  シャーシ、  ２２  投射機構、  ２４  駆動機構、  ３０ａ  開口部、  ３２  側壁、  ３２ａ  通気孔、  ４０  モータ、  ５２  光学ユニット、  ５４  光源、  ６０  放熱機構、  ６２  ダクト、  ６２ａ  取り付け孔、  ６４  ヒートシンク、  ６４ａ  プレート部、  ６４ｂ  放熱フィン、  ７０  電子制御部。
【図１】
0005835067.tif 000002
【図２】
0005835067.tif 000003
【図３】
0005835067.tif 000004
【図４】
0005835067.tif 000005
【図５】
0005835067.tif 000006
【図６】
0005835067.tif 000007
【図７】
0005835067.tif 000008
【図８】
0005835067.tif 000009
【図９】
0005835067.tif 000010
【図１０】
0005835067.tif 000011
【図１１】
0005835067.tif 000012
【図１２】
0005835067.tif 000013
【図１３】
0005835067.tif 000014
【図１４】
0005835067.tif 000015
【図１５】
0005835067.tif 000016
【図１６】
0005835067.tif 000017
【図１７】
0005835067.tif 000018
【図１８】
0005835067.tif 000019
【図１９】
0005835067.tif 000020
【図２０】
0005835067.tif 000021